(57)【要約】【課題】   光ピックアップ装置における光スポットの質を向上させ、情報記録再生の信頼性を高める。【解決手段】  レーザ光源１０１からのレーザ光をホログラム素子やプリズム１３１などを介してコリメートレンズ１３２などの集光素子に入射させる光ピックアップ装置１００において、光学系１０３の主光線（光軸Ｐ）に対してレーザ光源１０１の発光点１２を同一線上に配置し、その発光点１２を光学系１０３の主光線（光軸Ｐ）に対して平行に移動させられるように、レーザパッケージにネジ溝１１ａを設け、ハウジング筐体１５にネジ穴１５ａを設けて、ネジ溝１１ａをネジ穴１５ａに螺合させてレーザパッケージを回転操作する。レーザ光源１０１における発光点１２の位置のばらつきによって生じる光スポットの品質低下、光記録媒体１０２からの戻り光の片寄りを補正することができる。【選択図】  図１
2007207282.tif 000002
【特許請求の範囲】
【請求項１】
パッケージ内に発光素子が収容された光源と、該光源からの光を光記録媒体上に導いて集光させ、該光記録媒体からの反射光を信号検出部に導く光学系と、該光源および該光学系を取り付けるハウジング体とを備えた光ピックアップ装置において、
該光源に回転操作部が設けられ、該光記録媒体上の光スポットを最適化するように、該回転操作部を介した該光源の回転操作により、該光源が該ハウジング体に回転中心軸方向に移動調整されて取り付けられている光ピックアップ装置。
【請求項２】
前記光源の外周側面に雄ねじ部が設けられ、該雄ねじ部を螺合可能とする雌ねじ部が前記ハウジング体に設けられている請求項１に記載の光ピックアップ装置。
【請求項３】
前記光源の外周側面を摺動可能とする円孔の内周面が前記ハウジング体に設けられている請求項１に記載の光ピックアップ装置。
【請求項４】
前記雌ねじ部の下穴または前記円孔の内周面は外側ほど拡径したテーパ状に形成されている請求項２または３に記載の光ピックアップ装置。
【請求項５】
前記光スポットの最適化は、該光スポットが最小径になるように設定されている請求項１に記載の光ピックアップ装置。
【請求項６】
前記光源の回転中心軸が、前記光学系の主光線と一致するように設定されている請求項２または３に記載の光ピックアップ装置。
【請求項７】
前記光源の回転中心軸が、前記ビーム光束の光軸に一致している請求項２または３に記載の光ピックアップ装置。
【請求項８】
前記光源の発光素子が、前記光源の回転中心軸と一致する位置に設けられている請求項２、３、６および７のいずれかに記載の光ピックアップ装置。
【請求項９】
前記回転操作部が、前記光源の光出射面とは反対側の面に形成されている請求項１に記載の光ピックアップ装置。
【請求項１０】
前記回転操作部が、前記光源の光出射面に対して垂直な面に設けられている請求項１に記載の光ピックアップ装置。
【請求項１１】
前記回転操作部として、前記発光素子を搭載したステムの裏面側または側面側に、調整用溝、調整用凹部および調整用凸部のうちいずれかが設けられている請求項１、９および１０のいずれかに記載の光ピックアップ装置。
【請求項１２】
前記調整用溝または調整用凹部が平面視で十字形状または−形状、多角形状である請求項１１に記載の光ピックアップ装置。
【請求項１３】
前記光学系は、前記光源からの光を平行光に変換するコリメートレンズと、該コリメートレンズからの平行光を集光して前記光記録媒体上に光スポットとして入射させる対物レンズとを有する請求項１に記載の光ピックアップ装置。
【請求項１４】
前記光学系は、前記光源と前記コリメートレンズとの間に配置されて、分離面で該レーザ光源からの光を透過して該コリメートレンズに導くと共に、前記光記録媒体からの反射光を反射させて前記信号検出手段に導くプリズム手段を更に有する請求項１３に記載の光ピックアップ装置。
【請求項１５】
前記発光素子は半導体レーザ素子である請求項１、８および１１のいずれかに記載の光ピックアップ装置。
【請求項１６】
請求項１〜１５のいずれかに記載の光ピックアップ装置が搭載された電子情報機器。
【発明の詳細な説明】
【技術分野】
【０００１】
本発明は、光源からの光を光記録媒体上に集光させ、その反射光を受光する光ピックアップ装置および、これが搭載された光ディスク装置（光記録再生装置）や、これを用いたＯＡ機器やＡＶ機器などの電子情報機器に関する。
【背景技術】
【０００２】
一般に、図６に示すような光ピックアップ装置が知られている。
【０００３】
図６（ａ）は、従来の光ピックアップ装置のレーザ光源および光学系の構成例を示す側面図であり、  図６（ｂ）は、光学系のミラーから光記録媒体への光路部分を（ａ）の側面図とは垂直な方向から見た場合の側面図である。
【０００４】
図６（ａ）および図６（ｂ）において、従来の光ピックアップ装置は、半導体発光素子が内蔵されたレーザ光源２０１と、このレーザ光源２０１からのビーム光束を光記録媒体２０２上に集光させ、光記録媒体２０２からの反射光を後述の信号検出部２０４に導くための光学系２０３と、光記録媒体２０２からの反射光を光学系２０３を介して受光して信号検出する信号検出器２０４とを有している。
【０００５】
光学系２０３は、プリズム２３１と、平行光束に変換する第１の集光素子であるコリメートレンズ２３２と、光の進行方向を変更するミラー２３３と、光量調整用のアパーチャ２３４と、第２の集光素子である対物レンズ２３５とを有している。なお、Ｐはレーザ光源２０１からのビーム光束の光軸である。
【０００６】
上記構成により、レーザ光源２０１から出射された発散光束２１１ａは、プリズム２３１の分離面２３１ａを透過する。このプリズム２３１の分離面２３１ａを透過した発散光束２１１ａは、コリメートレンズ２３２に入射されて平行光束２１２ａに変換される。この平行光束２１２ａは、ミラー２３３によってその進行方向が曲げられ、絞りであるアパーチャ２３４によって光量調整用の入射瞳径が規定されて、対物レンズ２３５に入射される。この対物レンズ２３５では、平行光束２１２ａが集光されて集束光束２１３ａとされて、光記録媒体２０２の記録面上に光スポットが結像される。
【０００７】
次に、光記録媒体２０２に記録された情報に応じて変調された反射光２１３ｂは、対物レンズ２３５により略平行光束２１２ｂに変換され、ミラー２３３によってその進行方向が曲げられてコリメートレンズ２３２に入射される。このコリメートレンズ２３２では、平行光束２１２ｂが集束光束２１１ｂに変換されて、再び、プリズム２３１に入射される。この集光光束２１２ｂは、プリズム２３１の分離面２３１ａによって反射され、信号検出器２０４側に導かれて信号検出器２０４にて受光される。
【０００８】
この従来の光ピックアップ装置のように、レーザ光源２０１と第１の集光素子であるコリメートレンズ２３２との間にプリズム２３１を配置して、このコリメートレンズ２３２に、レーザ光源２０１からの発散光束を略平行光束に変換する機能と、光記録媒体２０２からの反射光束を信号検出器２０４に向かって再び集光して導く機能とを兼ね備えた構成としたものが増えている。
【０００９】
図７は、図６（ａ）のレーザ光源２０１の構成例を示す斜視図である。
【００１０】
図７において、このレーザ光源２０１は、ステム２１上に発光点２２の半導体発光素子が搭載され、ビーム光束が出射可能とする光出射面が開口したパッケージ２３内に収容されている。このステム２１の裏面側には、半導体発光素子の電極と接続された複数本（ここでは３本）のリードピン２４が伸びている。
【００１１】
上記構成により、上記従来の光ピックアップ装置において、レーザ光源２０１の発光点２２から出射されたレーザ光線（ビーム光束）は、光学系２０３を経て光記録媒体２０２上に光スポットとして照射され、光記録媒体２０２の情報記録面にて反射されて、その反射光が信号検出器２０４により光電変換されて光信号が検出される。
【００１２】
ところで、上記従来の光ピックアップ装置において、発光点２２およびこの発光点２２が収納されたパッケージ２３と、レーザ光源２０１からのビーム光束を光記録媒体２０２上に集光させる光学系２０３とは、ハウジング筐体（またはハウジング体）に取り付けられる。このとき、レーザ光源２０１における発光点２２の位置と、第１の集光素子であるコリメートレンズ２３２の位置とは、理想的な距離関係になるように設定されている。
【００１３】
しかしながら、実際には、レーザ光源２０１における発光点２２の位置と、第１の集光素子であるコリメートレンズ２３２の位置とが、理想的な距離関係に設定されていないことがある。これは、発光点２２をレーザ光源２０１内にマウントする際に、少なからず、位置誤差が発生するためである。また、第１の集光素子であるコリメートレンズ２３２の位置決めがずれても、同じ現象が生じる。このように、発光点２２とコリメートレンズ２３２との距離関係が理想的な距離関係になっておらず、発光点２２の位置ずれが発生した場合、光記録媒体２０２上に所望の最適な光スポットを形成することができず、良好な光信号を検出することが困難になる。
【００１４】
図８（ａ）は、図７のレーザ光源２０１がハウジング筺体に固定された状態を示す要部断面図であり、図８（ｂ）は図８（ａ）の底面図である。
【００１５】
図８（ａ）および図８（ｂ）に示すように、従来の光ピックアップ装置において、レーザ光源２０１をハウジング筐体２５に固定する際に、ステム２１の外周縁部がハウジング筐体２５の取付部内の底面に押し当てられ、レーザ固定バネ２６によってステム２２の底面（押し当てられた外周縁部とは反対面側の外周縁部）が上から押さえられた状態で、レーザ固定ネジ２７にによりレーザ固定バネ２６がハウジング筐体２５に固定されている。
【００１６】
また、最近では、前述したようにハウジング筐体２５とレーザ光源２０１とをレーザ固定バネ２６により直に固定せず、ハウジング筐体２５とレーザ光源２０１を直接的に接触させずに、空間的に固定する方法も用いられている。
【００１７】
その他に、特許文献１には、レーザ光源にネジ部を設けてハウジング筐体に固定する方法が記載されている。
【００１８】
また、特許文献２には、パッケージの底面にレーザ光源を回転操作するための溝を設けた光ピックアップ装置が記載されている。
【００１９】
さらに、特許文献３には、レーザ光源を回転操作するための溝として、様々な形状のものが挙げられている。
【特許文献１】特開平３−２０９２０６号公報
【特許文献２】特開平５−３３５６８０号公報
【特許文献３】実開平３−７７４６９号公報
【発明の開示】
【発明が解決しようとする課題】
【００２０】
しかしながら、上記従来技術によりレーザ光源をハウジング筐体に固定する方法には、以下のような問題がある。
【００２１】
前述したようにレーザ光源２０１をハウジング筐体２５に固定する際にレーザ固定バネ２６を用いる方法には、図８に示すように、レーザ固定バネ２６やそれを固定するためのレーザ固定ネジ２７などの部材が別途必要であり、部品点数が増加するという問題がある。また、ハウジング筐体２５とレーザ光源２０１を空間的に固定する方法では、上記に比べて部品点数は削減されるものの、空間固定であるがために信頼性を確保することが困難である。
【００２２】
その他の特許文献１に記載されている従来技術では、レーザ光源にネジ部を設けて光軸方向に沿った調整を回転調整により行なうことが記載されているが、その調整方法については記載されておらず、まして、光記録媒体上の光スポットを最適化するための調整方法ではない。また、この特許文献１において、レーザ光源の回転調整は、レーザ光源と通信用光ファイバコネクタとの光結合効率を向上させるために行われるものであって、光ディスクなどの光記録媒体上に良好な光スポットを形成するためのものではない。
【００２３】
また、特許文献２および特許文献３に記載されている従来技術では、ステムの底面に設けられた操作用溝によってレーザ光源が回転調整されるが、これは、パッケージと回折素子の方向を最適化するために行われるものである。これらの特許文献２および特許文献３には、光軸方向にレーザ光源を平行移動させるものではなく、光記録媒体上に良好な光スポットを形成するための機能は設けられていない。
【００２４】
本発明は、上記従来の問題を解決するもので、部品点数を増やすことなく、レーザ光源をハウジング筐体に容易に取り付けてお互いの位置を調整することにより、光記録媒体上の光スポットの質を向上させて、情報記録再生の信頼性を高めることができる光ピックアップ装置および、その光ピックアップ装置が設けられた電子情報機器を提供することを目的とする。情報記録再生の信頼性を高める
【課題を解決するための手段】
【００２５】
本発明の光ピックアップ装置は、パッケージ内に発光素子が収容された光源と、該光源からの光を光記録媒体上に導いて集光させ、該光記録媒体からの反射光を信号検出部に導く光学系と、該光源および該光学系を取り付けるハウジング体とを備えた光ピックアップ装置において、該光源に回転操作部が設けられ、該光記録媒体上の光スポットを最適化するように、該回転操作部を介した該光源の回転操作により、該光源が該ハウジング体に回転中心軸方向に移動調整されて取り付けられているものであり、そのことにより上記目的が達成される。
【００２６】
また、好ましくは、本発明の光ピックアップ装置において、前記光源の外周側面に雄ねじ部が設けられ、該雄ねじ部を螺合可能とする雌ねじ部が前記ハウジング体に設けられている。
【００２７】
さらに、好ましくは、本発明の光ピックアップ装置において、前記光源の外周側面を摺動可能とする円孔の内周面が前記ハウジング体に設けられている。
【００２８】
さらに、好ましくは、本発明の光ピックアップ装置における雌ねじ部の下穴または前記円孔の内周面は外側ほど拡径したテーパ状に形成されている。
【００２９】
さらに、好ましくは、本発明の光ピックアップ装置における光スポットの最適化は、該光スポットが最小径になるように設定されている。
【００３０】
さらに、好ましくは、本発明の光ピックアップ装置における光源の回転中心軸が、前記光学系の主光線と一致するように設定されている。
【００３１】
さらに、好ましくは、本発明の光ピックアップ装置における光源の回転中心軸が、前記ビーム光束の光軸に一致している。
【００３２】
さらに、好ましくは、本発明の光ピックアップ装置における光源の発光素子が、前記光源の回転中心軸と一致する位置に設けられている。
【００３３】
さらに、好ましくは、本発明の光ピックアップ装置における回転操作部が、前記光源の光出射面とは反対側の面に形成されている。
【００３４】
さらに、好ましくは、本発明の光ピックアップ装置における回転操作部が、前記光源の光出射面に対して垂直な面に設けられている。
【００３５】
さらに、好ましくは、本発明の光ピックアップ装置における回転操作部として、前記発光素子を搭載したステムの裏面側または側面側に、調整用溝、調整用凹部および調整用凸部のうちいずれかが設けられている。
【００３６】
さらに、好ましくは、本発明の光ピックアップ装置における調整用溝または調整用凹部が平面視で十字形状または−形状、多角形状である。
【００３７】
さらに、好ましくは、本発明の光ピックアップ装置における光学系は、前記光源からの光を平行光に変換するコリメートレンズと、該コリメートレンズからの平行光を集光して前記光記録媒体上に光スポットとして入射させる対物レンズとを有する。
【００３８】
さらに、好ましくは、本発明の光ピックアップ装置における光学系は、前記光源と前記コリメートレンズとの間に配置されて、分離面で該レーザ光源からの光を透過して該コリメートレンズに導くと共に、前記光記録媒体からの反射光を反射させて前記信号検出手段に導くプリズム手段を更に有する。
【００３９】
さらに、好ましくは、本発明の光ピックアップ装置における発光素子は半導体レーザ素子である。
【００４０】
本発明の電子情報機器は、本発明の上記光ピックアップ装置が搭載されたものであり、そのことにより上記目的が達成される。
【００４１】
上記構成により、以下に、本発明の作用について説明する。
【００４２】
本発明では、光源に回転操作部が設けられ、光記録媒体上の光スポットを最適化するように、この回転操作部を介した光源の回転操作により、光源をハウジング体に回転中心軸方向に移動調整して取り付けている。具体的には、例えば、光源側の雄ねじ部をハウジング体の雌ねじ部に螺合させたり、光源の外周側面を摺動可能とする円孔の内周面をハウジング体に設けることにより、光源をハウジング体に容易かつ確実に取り付けることができると共に、光源を回転調整して回転中心軸方向に移動させて、光源と光学系の距離を最適に調整して光記録媒体上に最適な光スポットを形成することができ、これによって、情報記録再生の信頼性を高めることができる。
【００４３】
上記光源に設けられた光源の回転中心軸を光学系の主光線と一致するように設定し、光源の発光素子を光源の回転中心軸と一致するように設定することによって、光学系の主光線と光源の発光素子が同一軸上に配置される。この光源を回転操作することによって、光源がハウジング体の内周面に沿って回転し、発光素子が光学系の主光線に対して平行に移動可能とすることができる。
【００４４】
パッケージの光出射面と反対面または光出射面と垂直な面には、回転操作部として、調整溝や調整用穴、調整用凹部および凸部などが設けられており、治具を用いて、パッケージを容易かつ正確に回転操作することが可能となる。
【００４５】
光源における発光素子の取付位置と、第１の集光素子であるコリメートレンズの位置とが理想的な距離関係に設定されていない場合であっても、光源を回転操作することにより、発光素子を光学系の主光線に対して平行に移動させて、第１の集光素子に対して理想的な距離関係となる位置に配置することができるため、光記録媒体上に所望の最適な光スポットを形成して、より良好な光信号による情報の書き込みや読み出しを行うことが可能となる。
【発明の効果】
【００４６】
以上により、本発明によれば、光記録媒体上の光スポットを最適化するように、簡単な操作によって光源の位置合わせを行うことが可能となるため、光ピックアップ装置の組立工程において、所望の最適な光スポットを得て信頼性が高い光ピックアップ装置およびこれを用いた電子情報機器を作製することができる。また、光源をハウジング体に固定するための従来のレーザ固定ネジやレーザ固定バネなどの部品が不要となるため、部品点数を削減することもできる。
【発明を実施するための最良の形態】
【００４７】
以下に、本発明の光ピックアップ装置の実施形態１〜３について、図面を参照しながら説明する。
（実施形態１）
図１（ａ）は、本発明の実施形態１に係る光ピックアップ装置における光学系の構成例を示す側面図であり、図１（ｂ）は、ミラーから光記録媒体への光路部分を（ａ）とは垂直な方向から見た場合の側面図である。
【００４８】
図１において、本実施形態１の光ピックアップ装置１００は、光源光を出射する半導体発光素子（発光素子）が内蔵され、光記録媒体１０２上の光スポットを最適化するように、光源光の光出射方向（光軸Ｐの方向）に沿って位置調整可能とする光源としてのレーザ光源１０１と、このレーザ光源１０１からのビーム光束を光記録媒体１０２上に光スポットとして集光させるための光学系１０３と、この光記録媒体１０２からの反射光を光学系１０３を介して受光して光電変換により信号検出する信号検出部としての信号検出器１０４とを有している。
【００４９】
レーザ光源１０１は、ビーム光束を出射する面とは反対側の裏面側に回転操作部が設けられ、光記録媒体１０２上の光スポットを最適化（例えば光スポット径が最小）するように、回転操作部を介した回転操作により、ハウジング体としての後述するハウジング筐体１５に回転中心軸（光軸Ｐ）の方向に移動調整されて取り付けられている。
【００５０】
光学系１０３は、分離面１３１ａを持つプリズム１３１と、平行光束に変換する第１の集光素子であるコリメートレンズ１３２と、光の進行方向を変更するミラー１３３と、光量調整用のアパーチャ１３４と、光記録媒体１０２上に光スポットとして光を集光させる第２の集光素子である対物レンズ１３５とを有している。
【００５１】
上記構成により、レーザ光源１０１から出射された発散光束１１１ａは、プリズム１３１の分離面１３１ａを透過する。この分離面１３１ａを透過した発散光束１１１ａは、第１の集光素子としてのコリメートレンズ１３２に入射されて平行光束１１２ａに変換される。この平行光束１１２ａは、ミラー１３３によってその光進行方向が折り曲げられて、絞り手段であるアパーチャ１３４によって入射瞳径が規定されて、第２の集光素子としての対物レンズ１３５に入射される。この対物レンズ１３５では、平行光束１１２ａが集光されて集束光束１１３ａとされ、光記録媒体１０２の記録面にスポットが結像される。
【００５２】
次に、光記録媒体１０２に記録された情報に応じて変調された反射光１１３ｂは、第２の集光素子としての対物レンズ１３５により略平行光束１１２ｂに変換され、ミラー１３３によってその光進行方向が折り曲げられて第１の集光素子としてのコリメートレンズ１３２に入射される。このコリメートレンズ１３２では、平行光束１１２ｂが集束光束１１１ｂに変換されて、再びプリズム１３１に入射される。この集光光束１１２ｂは、プリズム１３１の分離面１３１ａによって反射されて、光軸Ｐとは直角方向にある信号検出器１０４に導かれる。
【００５３】
このように、本実施形態１の光ピックアップ装置１００では、レーザ光源１０１の発光点から出射されたレーザ光線が、光学系１０３を経て光記録媒体１０２上に照射され、光記録媒体１０２の情報記録面にて反射されて、その反射光が光検出器１０４により光電変換されて検出される。
【００５４】
ところが、上述したように、レーザ光源１０１の発光点の位置は、個々にばらつきがある。このため、光記録媒体１０２の情報記録面に結像される光スポットの状態は、ばらつくことになる。その結果、所望の光スポットを得ることが困難となり、光信号を正確に検出することが困難となって、記録情報の読み書きの信頼性を低下させてしまうという問題があった。
【００５５】
そこで、本実施形態１では、レーザ光源１０１が収納されたパッケージに雄ねじ部（以下、ネジ溝という）を設けると共に、レーザ光源１０１や光学系１０３が取り付けられるハウジング筐体に雌ネジ部（以下、ネジ穴という）を設けて、パッケージを回転操作してハウジング筐体に取り付け可能とする。これを図２に示している。
【００５６】
図２は、図１のレーザ光源１０１がハウジング筐体に固定された状態を示す要部断面図である。
【００５７】
図２において、本実施形態１のレーザ光源１０１は、円盤状のステム１１上に発光点１２である半導体発光素子が搭載されて、光出射面が円形状に開口したパッケージ１３内に収納されている。このステム１１の裏面側（外面側）には、半導体発光素子の各電極とそれぞれ接続された複数本（ここでは３本）のリードピン１４がそれぞれ伸びている。
【００５８】
このステム１１の外周側面にはネジ溝１１ａが設けられており、その回転中心は光学系の主光線（光軸Ｐ）と一致または略一致するように設定されている。また、レーザ光源１０１の発光点１２は、ネジ溝１１ａの回転中心（回転中心軸）と一致または略一致するように設定されている。さらに、このレーザ光源１０１が取り付けられるハウジング筐体１５には、ネジ溝１１ａに対応するネジ穴１５ａが形成されている。このネジ穴１５ａ（雌ネジ部の下穴）を穴の奥行き方向にテーパ状に形成すれば、このテーパによりレーザ光源１０１をハウジング筐体１５にセットしやすくその中心光軸のばらつきを抑制できる。
【００５９】
このように、本実施形態１の光ピックアップ装置１００において、レーザ光源１０１をハウジング筐体１５に固定する際には、レーザ光源１０１のネジ溝１１ａをハウジング筐体１５のネジ穴１５ａに螺合させる。このとき、ステム１１の回転量を調整することによって、レーザ光源１０１から第１の集光素子であるコリメートレンズ１０３までの光学的な距離が調整されて、理想的な光学的距離を得ることが可能となり、光記録媒体１０２上に所望の光スポットを容易かつ精度よく最適に形成することができる。ネジ溝１１ａの回転中心は主光線（光軸Ｐ）に対して一致または略一致しているため、ステム１１の回転によってレーザ光源１０１の位置ずれは殆ど生じることなく、かつ、第１の集光素子までの距離を容易かつ精度よく最適に調整することが可能となる。さらに、レーザ光源１０１のステム１１にネジ溝１１ａを設けることによって、従来の光ピックアップ装置のように、ハウジング筐体２５にレーザ光源を固定するためのレーザ固定バネ２６やそれを固定するためのレーザ固定ネジ２７などが不要となり、部品点数を削減することも可能となる。
（実施形態２）
図３（ａ）は、本実施形態２に係る光ピックアップ装置において、レーザ光源がハウジング筐体１５に固定された状態を示す断面図であり、図３（ｂ）は図３（ａ）の底面図である。なお、基本的な光学系の構造は、上記実施形態１の図１の場合と同様である。
【００６０】
図３（ａ）および図３（ｂ）において、本実施形態２の光ピックアップ装置１００Ａは、光源光を出射する半導体発光素子が内蔵され、パッケージ回転操作用の操作部を回転させることにより光源光の光出射方向（光軸Ｐの方向）に沿って位置調整可能とするレーザ光源１０１Ａと、このレーザ光源１０１Ａからのビーム光束を光記録媒体１０２上に集光させるための光学系１０３と、この光記録媒体１０２からの反射光を光学系１０３を介して受光して信号検出する信号検出器１０４とを有している。
【００６１】
レーザ光源１０１Ａは、上記実施形態１の場合と同様に、平面視円鍔状のステム１１Ａの外側面にネジ溝１１ａが設けられており、その回転中心は光学系１０３の主光線（光軸Ｐ）と一致または略一致するように設定されている。また、レーザ光源１０１Ａの発光点１２は、ネジ溝１１ａの回転中心と一致または略一致するように設定されている。さらに、ハウジング筐体１５には、ネジ溝１１ａに対応するネジ穴１５ａが設けられている。
【００６２】
本実施形態２では、さらに、パッケージ回転操作用の操作部として、パッケージ１３の光出射面とは反対側の面であるステム１１Ａの底面中央に、十字形状（または−字形状）の調整溝１６が設けられている。
【００６３】
上記構成により、本実施形態２の光ピックアップ装置１００Ａにおいて、レーザ光源１０１Ａをハウジング筐体１５に固定する際には、ネジ溝１１ａをネジ穴１５ａに螺合させる。このとき、調整溝１６の形状に応じた先端形状を持つ不図示の治具を調整溝１６に嵌め込んで、ステム１１Ａの回転量を調整することによって、レーザ光源１０１Ａから第１の集光素子であるコリメートレンズ１３２までの光学的な距離が容易かつ正確に調整されて、理想的な光学的距離を容易かつ正確に得ることが可能となり、光記録媒体１０２上に所望の光スポットを形成することができる。このネジ溝１１ａの回転中心は主光線（光軸Ｐ）に対して一致または略一致しているため、回転によってレーザ光源１０１Ａの位置ずれは殆ど生じることなく、かつ、第１の集光素子までの距離を容易かつ正確に調整することが可能となる。さらに、レーザ光源１０１Ａのステム１１Ａにネジ溝１１ａを設けることによって、従来の光ピックアップ装置に比べて、ハウジング筐体２５にレーザ光源２０１を固定するためのレーザ固定バネ２６やそれを固定するためのレーザ固定ネジ２７などが不要となり、部品点数を削減することも可能となる。さらに、調整溝１６の形状に応じた先端形状を持つ治具によって、発光点１２が収納されたパッケージ１３を容易かつ正確に回転操作することが可能となる。
【００６４】
なお、本実施形態２では、パッケージ回転操作用の操作部としては、図３（ｂ）に示すような十字形状（または−字形状）の調整溝１６としたが、これに限らず、三角形状、四角形状、五画形状および六角形状などの多角形状など、様々な形状の凹部（溝）または凸部が考えられる。例えば治具の先端部を凹部内に嵌め込むかまたは治具の先端部にこの形状の凹部を設けてステム１１Ａ側を凸形状としてもよい。この凹部をステム１１Ａに設ける場合、凹部を貫通孔としてもよい。
（実施形態３）
図４（ａ）は、本実施形態３に係る光ピックアップ装置において、レーザ光源の構成例を示す斜視図であり、図４（ｂ）は図４（ａ）の底面図である。なお、基本的な光学系の構造は、上記実施形態１の図１の場合と同様である。
【００６５】
図４（ａ）および図４（ｂ）において、本実施形態３の光ピックアップ装置１００Ｂは、光源光を出射する半導体発光素子が内蔵され、パッケージ回転操作用の操作部を回転させることにより光源光の光出射方向（光軸Ｐの方向）に沿って位置調整可能とするレーザ光源１０１Ｂと、このレーザ光源１０１Ｂからのビーム光束を光記録媒体１０２上に集光させるための光学系１０３と、この光記録媒体１０２からの反射光を光学系１０３を介して受光して信号検出する信号検出器１０４とを有している。
【００６６】
本実施形態３では、パッケージ回転操作用の操作部として、パッケージ１３の光出射面と垂直な面であるステム１１Ｂの側面（ネジ溝１１ａが形成された側面）に、調整穴１７が設けられている。なお、ステム１１Ｂの側面（鍔側面）に対するネジ溝１１ａの記載は、調整穴１７の記載と重なるため、ここではその説明および判別を容易にする目的で省略している。
【００６７】
本実施形態３の光ピックアップ装置１００Ｂにおいて、レーザ光源１０１Ｂをハウジング筐体１５に固定する際には、上記実施形態１の場合と同様に、ネジ溝１１ａをネジ穴１５ａに螺合させる。このとき、調整穴１７に治具１８の凸部を嵌めこんで回転量を調整することによって、レーザ光源１０１Ｂから第１の集光素子であるコリメートレンズ１３２までの光学的な距離が容易かつ正確に調整されて、理想的な光学的距離を得ることが可能となり、光記録媒体１０２上に所望の光スポットを形成することができる。また、治具１８によって、レーザ光源１０１Ｂが収納されたパッケージ１３を容易かつ制御性よく回転操作することができる。
【００６８】
なお、本実施形態３では、パッケージ回転操作用の操作部としては、図５に示すような調整穴１７に限らず、その他の凹部や凸部など、様々な形状のものが考えられる。例えば、図５に示すように、ステム１１Ｃを治具２０に嵌めこみやすいような回転操作部として突出部１９を設けてもよい。ここでは、突出部１９は、平面視でステム１１Ｃの対向側にそれぞれ設けられている。
【００６９】
したがって、上記実施形態１〜３によれば、レーザ光源１０１、１０１Ａまたは１０１Ｂからのレーザ光をホログラム素子やプリズム１３１などを介してコリメートレンズ１３２などの集光素子に入射させる光ピックアップ装置１００、１００Ａまたは１００Ｂにおいて、光学系１０３の主光線（光軸Ｐ）に対してレーザ光源１０１、１０１Ａまたは１０１Ｂの発光点１２を同一線上に配置し、その発光点１２を光学系１０３の主光線（光軸Ｐ）に対して平行に移動させられるように、レーザパッケージにネジ溝１１ａを設け、ハウジング筐体１５にネジ穴１５ａを設けて、ネジ溝１１ａをネジ穴１５ａに螺合させてレーザパッケージを回転操作する。レーザ光源１０１、１０１Ａまたは１０１Ｂにおける発光点１２の位置のばらつきによって生じる光スポットの品質低下、光記録媒体１０２からの戻り光の片寄りを補正することができる。よって、光ピックアップ装置１００、１００Ａまたは１００Ｂにおける光スポットの品質を向上させ、情報記録再生の信頼性を一層高めることができる。
【００７０】
また、上記実施形態１〜３において、光学系１０３として、さらに、レーザ光源１０１、１０１Ａまたは１０１Ｂからの光を回折してコリメートレンズ１３２に入射させるホログラム素子を設けてもよい。これにより、情報信号検出用のメインビームと、ラジアル誤差検出用のサブビームとを生成することができる。
【００７１】
さらに、本発明の光ピックアップ装置１００、１００Ａまたは１００Ｂはそれぞれ、ＣＤプレーヤやビデオディスクプレーヤ、ＤＶＤプレーヤなどの光記録再生装置、およびＯＡ機器やＡＶ機器などの電子情報機器に用いることにより、情報記録再生の信頼性を向上させることができる。
【００７２】
なお、上記実施形態１〜３では、レーザ光源１０１、１０１Ａまたは１０１Ｂの平面視円形状でその外周側面に雄ねじ部（ネジ溝１１ａ）が設けられ、このネジ溝１１ａを螺合可能とする雌ねじ部（ネジ穴１５ａ）がハウジング筺体１５に設けられた場合について説明したが、これに限らず、レーザ光源の外周側面を摺動可能とする円孔の内周面がハウジング筺体１５の所定位置に設けられていてもよい。この場合にも、光源としてのレーザ光源をハウジング体としてのハウジング筺体１５に容易かつ確実に取り付けることができる。また、レーザ光源を回転調整して回転中心軸方向（円孔の奥行き方向）に移動させて、レーザ光源と光学系との距離を最適に調整して光記録媒体上に最適な光スポットを形成することができて、情報記録再生の信頼性を高めることができる。
【００７３】
上記実施形態１〜３の場合と同様に、円孔の内周面は外側ほど拡径したテーパ状に形成されていてもよい。また、レーザ光源の回転中心軸が、光学系の主光線と一致するように設定され、レーザ光源の回転中心軸が、ビーム光束の光軸に一致していることが好ましい。  レーザ光源の発光素子が、レーザ光源の回転中心軸と一致する位置に設けられていることが好ましい。
【００７４】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００７５】
本発明は、光源からの光を光記録媒体上に集光させ、その反射光を受光する光ピックアップ装置および、これが搭載された光ディスク装置（光記録再生装置）や、これを用いたＯＡ機器やＡＶ機器などの電子情報機器の分野において、光ピックアップ装置の組み立て工程における簡単な操作によりレーザ光源の位置合わせを行って、所望の光スポットを得ることができて、情報記録再生の信頼性を向上させることができる。さらに、レーザ光源をハウジング筐体に固定するためのレーザ固定ネジやレーザ固定バネなどが不要となるため、部品点数を削減して、光ピックアップ装置およびこれを用いた電子情報機器の低コスト化を図ることができる。
【図面の簡単な説明】
【００７６】
【図１】（ａ）は、本発明の実施形態１に係る光ピックアップ装置における光学系の構成例を示す側面図、（ｂ）は、ミラーから光記録媒体への光路部分を（ａ）とは垂直な方向から見た場合の側面図である。
【図２】図１のレーザ光源がハウジング筐体に固定された状態を示す要部断面図である。
【図３】（ａ）は、本実施形態２に係る光ピックアップ装置において、レーザ光源がハウジング筐体に固定された状態を示す断面図、（ｂ）は（ａ）の底面図である。
【図４】（ａ）は、本実施形態３に係る光ピックアップ装置において、レーザ光源の構成例を示す斜視図であり、（ｂ）は（ａ）の側面図である。
【図５】本発明の実施形態３に係る光ピックアップ装置に設けられたパッケージ回転操作用操作部の他の例を示す底面図である。
【図６】（ａ）は、従来の光ピックアップ装置における光学系の構成例を示す側面図、  （ｂ）は、ミラーから光記録媒体への光路部分を（ａ）の側面図とは垂直な方向Ａから見た場合の側面図である。
【図７】図６（ａ）のレーザ光源２０１の構成例を示す斜視図である。
【図８】（ａ）は、図７のレーザ光源がハウジングに固定された状態を示す要部断面図、（ｂ）は（ａ）の底面図である。
【符号の説明】
【００７７】
１１、１１Ａ〜１１Ｃ  ステム
１１ａ  ネジ溝（雄ネジ部）
１２  発光点（発光素子）
１３  パッケージ
１４  リードピン
１５  ハウジング筐体（ハウジング体）
１５ａ  ネジ穴（雌ネジ部）
１６  調整溝（回転操作部）
１７  調整穴（回転操作部）
１８、２０  治具（回転調整治具）
１９  突出部
１００、１００Ａ、１００Ｂ  光ピックアップ装置
１０１、１０１Ａ、１０１Ｂ  レーザ光源（光源）
１０２  光記録媒体（光ディスク）
１０３  光学系
１３１  プリズム（プリズム手段）
１３２  コリメートレンズ（コリメートレンズ手段）
１３３  ミラー
１３４  アパーチャ
１３５  対物レンズ（対物レンズ手段）
１０４  信号検出器（信号検出部）
１１１ａ、１１１ｂ、１１２ａ、１１２ｂ、１１３ａ、１１３ｂ  光束（光路）
Ｐ  主光線（光軸）
【図１】
2007207282.tif 000003
【図２】
2007207282.tif 000004
【図３】
2007207282.tif 000005
【図４】
2007207282.tif 000006
【図５】
2007207282.tif 000007
【図６】
2007207282.tif 000008
【図７】
2007207282.tif 000009
【図８】
2007207282.tif 000010